(57)【要約】【課題】特別な部材や組み立て工数を必要とせずに使用者が誤って蓋カバーと蓋本体の嵌合部に溢した液体洗剤或いは水を蓋本体の前側に流さないことで使用者に外観されず質感、美観のよいドラム式洗濯機を提供すること。【解決手段】開閉蓋５は、回転ドラム２内部を外部から可視する窓を有した蓋本体８と、蓋本体８の正面側を覆う透明な蓋カバー９と、蓋カバー９の正面側に位置したリング状の蓋枠２０とを有し、蓋カバー９は、裏面の外周上部に水平方向から下向き傾斜となるように背面側に向かって突出する突出部９ａを設け、蓋本体８は、上部に突出部９ａを受け入れる円弧状の孔部８ａと、孔部８ａよりも下方に位置し、蓋本体８の背面側の面に、背面側に向けて円弧状に張り出す張りだし周壁８ｂを設ける。これにより、蓋の外観や美観を損なわないドラム式洗濯機を提供することができる。【選択図】図１
2012217533.tif 000002
【特許請求の範囲】
【請求項１】
有底円筒形に形成され、開口する正面側から底部となる背面側に向けて回転軸方向が水平または水平方向から下向き傾斜となるように配置した回転ドラムと、
前記回転ドラムを内包する水槽と、
前記水槽を収納し前記回転ドラムに洗濯物を投入する開口部を有する洗濯機筐体と、
前記洗濯機筐体に回動自在に軸支され前記開口部を開閉する開閉蓋とを備え、
前記開閉蓋は、前記回転ドラム内部を外部から可視する窓を有した蓋本体と、前記蓋本体の正面側を覆う透明な蓋カバーと、前記蓋カバーの周囲に配置したリング状の蓋枠とを有し、
前記蓋カバーは、裏面の外周上部に水平方向から下向き傾斜となるように背面側に向かって突出する突出部を設け、
前記蓋本体は、上部に前記突出部と嵌合する円弧状の孔部と、前記孔部よりも下方に位置し、前記蓋本体の背面側の面に、背面側に向けて円弧状に張り出す張りだし周壁を設けたドラム式洗濯機。
【請求項２】
前記突出部の背面側の端が、前記孔部の正面側よりも背面側に位置する請求項１に記載のドラム式洗濯機。
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機に関する。
【背景技術】
【０００２】
従来のドラム式洗濯機は、開閉蓋が、洗濯物を外部から透視する窓を有した蓋本体と、この蓋本体の前面に当てがわれて覆う透明な蓋カバーとから構成したものが一般的である。このような構成では、蓋本体の前面に爪の嵌め合い部を設けて弾性係止することにより蓋カバーを固定している。しかし、蓋カバーは透明であるので、爪の嵌め合い部が正面から見えてしまい美観を損ってしまう。このため、透明な蓋カバーの外周部表面に不透明な蓋枠を嵌め付けて美観を高めている（例えば、特許文献１参照）。
【０００３】
従来例として特許文献１の構成を図７、８を用いて説明する。図７は、従来のドラム式洗濯機の斜視図である。図８は、従来のドラム式洗濯機における蓋体近傍の要部断面図である。
【０００４】
洗濯機筐体１０１の正面側上部には上向き傾斜面１０１ａが形成され、この傾斜面１０１ａに洗濯物を出し入れする円形の開口部１０２が形成されている。洗濯機筐体１０１の上向き傾斜面１０１ａには、開口部１０２を開閉自在に覆う円形の蓋体１０３が設けられている。蓋体１０３は、開口部１０２を開閉するように回転自在に保持されている。また、蓋体１０３は、ポリプロピレンで成型された蓋本体１０８と、さらに耐薬品性が高いポリプロピレンで成型された蓋裏板１０９と、ガラスで成型された窓板１１０と、透明ＡＢＳで成型された蓋カバーと耐薬ＡＢＳで成型された化粧板１１２等とにより構成されている。
【０００５】
化粧板１１２の外周には、蓋裏板１０９側に突出した化粧板外周壁１１２ｂを形成している。化粧板外周壁１１２ｂの内面側には、複数箇所に内方向へ凸の爪を形成し、外周段部には、その外面側に爪１２ｃに対応する引掛け凹部９ｅが形成され、爪１１２ｃが引掛け凹部９ｅに係止されることで、化粧板１２が蓋本体８の表面側に固定されるように構成している。このような構成により、透明な蓋カバーの外周部を化粧板１１２で隠すことができるので、蓋カバーの周縁部に材料表示などの刻印を表示しても、外からは見えないようにすることができる。
【先行技術文献】
【特許文献】
【０００６】
【特許文献１】特開２００７−６８８１０号公報
【発明の概要】
【発明が解決しようとする課題】
【０００７】
しかしながら、前記従来構成のものでは、使用者が誤って蓋カバーと蓋本体あるいは蓋枠と蓋本体の嵌合部に溢した液体洗剤或いは水を蓋本体の前側が流れることを使用者が認識できてしまい、美観を損ねることがあった。さらに、使用者が誤って蓋カバーと蓋本体の嵌合部に溢した液体洗剤或いは水を蓋本体の前側や窓板に流さないように蓋本体の外周に流すためには、蓋本体に液体洗剤或いは水を溜める空間（体積）が必要であった。
【０００８】
本発明は、前記従来の課題を解決するもので、蓋カバーの透明性を生かして、しかも、特別な部材や組み立て工数を必要とせずに使用者が誤って蓋カバーと蓋本体の嵌合部に溢した液体洗剤或いは水を蓋本体の前側に流さないことで使用者に外観されず質感、美観のよいドラム式洗濯機を提供することを目的とする。
【課題を解決するための手段】
【０００９】
前記従来の課題を解決するために、本発明のドラム式洗濯機は、有底円筒形に形成され、開口する正面側から底部となる背面側に向けて回転軸方向が水平または水平方向から下向き傾斜となるように配置した回転ドラムと、前記回転ドラムを内包する水槽と、前記水槽を収納し前記回転ドラムに洗濯物を投入する開口部を有する洗濯機筐体と、前記洗濯機筐体に回動自在に軸支され前記開口部を開閉する開閉蓋とを備え、前記開閉蓋は、前記回転ドラム内部を外部から可視する窓を有した蓋本体と、前記蓋本体の正面側を覆う透明な蓋カバーと、前記蓋カバーの周囲に配置したリング状の蓋枠とを有し、前記蓋カバーは、裏面の外周上部に水平方向から下向き傾斜となるように背面側に向かって突出する突出部を設け、前記蓋本体は、上部に前記突出部と嵌合する円弧状の孔部と、前記孔部よりも下方に位置し、前記蓋本体の背面側の面に、背面側に向けて円弧状に張り出す張りだし周壁を設けたものである。
【００１０】
このような構成によって、使用者が誤って蓋カバーと蓋本体の嵌合部に液体洗剤或いは水を溢しても、液体洗剤或いは水が開閉蓋の外部から見えないため蓋の外観や美観を損なわないドラム式洗濯機を提供することができる。
【発明の効果】
【００１１】
本発明のドラム式洗濯機は、使用者が誤って蓋カバーと蓋本体の嵌合部に液体洗剤或いは水を溢しても、液体洗剤或いは水が開閉蓋の外部から見えないため蓋の外観や美観を損なわないドラム式洗濯機を提供することができる。
【図面の簡単な説明】
【００１２】
【図１】本発明の実施の形態１におけるドラム式洗濯機の斜視図
【図２】本発明の実施の形態１におけるドラム式洗濯機の横断面図
【図３】本発明の実施の形態１におけるドラム式洗濯機の開閉蓋の要部断面図
【図４】本発明の実施の形態１におけるドラム式洗濯機の蓋本体の要部を示す背面斜視図
【図５】本発明の実施の形態１におけるドラム式洗濯機の蓋本体の要部を示す正面斜視図
【図６】本発明の実施の形態１におけるドラム式洗濯機の蓋カバーの下部を示す斜視図
【図７】従来のドラム式洗濯機の斜視図
【図８】従来のドラム式洗濯機における蓋体近傍の要部断面図
【発明を実施するための形態】
【００１３】
第１の発明のドラム式洗濯機は、有底円筒形に形成され、開口する正面側から底部となる背面側に向けて回転軸方向が水平または水平方向から下向き傾斜となるように配置した回転ドラムと、前記回転ドラムを内包する水槽と、前記水槽を収納し前記回転ドラムに洗濯物を投入する開口部を有する洗濯機筐体と、前記洗濯機筐体に回動自在に軸支され前記開口部を開閉する開閉蓋とを備え、前記開閉蓋は、前記回転ドラム内部を外部から可視する窓を有した蓋本体と、前記蓋本体の正面側を覆う透明な蓋カバーと、前記蓋カバーの周囲に配置したリング状の蓋枠とを有し、前記蓋カバーは、裏面の外周上部に水平方向から下向き傾斜となるように背面側に向かって突出する突出部を設け、前記蓋本体は、上部に前記突出部と嵌合する円弧状の孔部と、前記孔部よりも下方に位置し、前記蓋本体の背面側の面に、背面側に向けて円弧状に張り出す張りだし周壁を設けたものである。
【００１４】
このような構成によって、使用者が誤って蓋カバーと蓋本体の嵌合部に液体洗剤或いは水を溢しても、液体洗剤或いは水を蓋本体の前側や窓板に流さないで蓋本体の外周に流すことができる。このため、液体洗剤或いは水が開閉蓋の外部から見えないため蓋の外観や美観を損なわないドラム式洗濯機を提供することができる。
【００１５】
また、蓋本体の前面に蓋枠を配置できるので、蓋本体表面の美観を自在に向上させることができ、透明な蓋カバーを通して蓋枠が見えることにより、光沢感、奥行き感を自在に表現でき、蓋全体の美観を容易に向上させることができる。
【００１６】
第２の発明は、特に、第１の発明のドラム式洗濯機は、前記突出部の背面側の端が、前記孔部の正面側よりも背面側に位置するものである。
【００１７】
このような構成によって、液体洗剤或いは水を蓋本体の前側や窓板に流さないで、確実に蓋本体の外周に流すことができる。このため、外観や美観を損なわないドラム式洗濯機を提供することができる。
【００１８】
以下、本発明の実施の形態１について、図面を参照しながら説明する。なお、実施の形態によって本発明が限定されるものではない。
【００１９】
（実施の形態１）
図１は、本発明の実施の形態１におけるドラム式洗濯機の斜視図を示すものである。図２は、本発明の実施の形態１におけるドラム式洗濯機の横断面図を示すものである。
【００２０】
図２に示すように、回転ドラム２は、有底円筒形に形成され、開口する正面側から底部となる背面側に向けて回転軸方向が水平または水平方向から下向き傾斜となるように配置されている。水槽３は、回転ドラム２の傾斜方向に沿うように設置されている。洗濯機筐体４の前部に設けた開閉蓋５を開いて洗濯物を回転ドラム２に収容することができる。モータ６は水槽３の背面側に配置されている。モータ６を駆動することにより、回転ドラム２を回転させ、洗い工程、すすぎ工程、脱水工程、乾燥工程の少なくとも１つを行う。
【００２１】
図１、２に示すように、洗濯機筐体４の正面側面の上部にはなだらかに上方に向かうにつれて背面側に傾斜する上向き傾斜面４ａが形成されている。傾斜面４ａに洗濯物を出し入れする円形の出し入れ口３１が形成されており、開閉蓋５を開閉することで洗濯機本体１の開口部から洗濯物を出し入れできる。開閉蓋５は出し入れ口３１を開閉できるように洗濯機筐体４に回動自在に軸支されており、洗濯機筐体４の出入り口３１にヒンジ連結して設けられ、出入り口３１と共に円形を成している。
【００２２】
開閉蓋５は、回転ドラム２の外部から可視する窓７を有した蓋本体８と、蓋本体８の正面を覆う透明な蓋カバー９と、蓋カバー９周囲の正面側から上面側にかけて配置したリング状の蓋枠２０とを有している。
【００２３】
図３は、本発明の実施の形態１におけるドラム式洗濯機の開閉蓋の要部断面図である。図４は、本発明の実施の形態１におけるドラム式洗濯機の蓋本体の要部を示す背面斜視図である。図５は、本発明の実施の形態１におけるドラム式洗濯機の蓋本体の要部を示す正面斜視図である。
【００２４】
蓋カバー９は、蓋カバー９の裏面の外周上部に水平方向から下向き傾斜となるように背面側に向かって突出する突出部９ａを設けている。
【００２５】
蓋本体８は、蓋本体８の上部に突出部９ａを受け入れる円弧状の孔部８ａを有している。さらに、孔部８ａよりも下方に位置し、蓋本体８の背面側の面に、背面側に向けて水平方向から下向き傾斜となるように円弧状に張り出す張りだし周壁８ｂを設けている。この張り出し周壁８ｂは、孔部８ａおよび突出部９ａの背面側の端９ｂよりも背面側に突出している。また、突出部９ａの背面側の端９ｂは、孔部８ａの正面側８ｃよりも背面側に位置する構成となっている。
【００２６】
図３、４に示すように、使用者が誤って蓋カバー９と蓋本体８との嵌合部に液体洗剤或いは水を溢しても、液体洗剤或いは水は矢印Ａのように、突出部９ａにより孔部８ａを通り、張りだし周壁８ｂをつたっていく。このため、蓋本体８の前側や窓板２３に流さないようにすることで、使用者が液体洗剤或いは水を認識することはなく、洗濯機本体１の外観や美観を損なうことがない。
【００２７】
また、突出部９ａの背面側の端９ｂが、孔部８ａの正面側８ｃよりも背面側に位置するので、液体洗剤或いは水を蓋本体の前側や窓板２３に流さないで、確実に蓋本体の外周に流すことができる。さらに、蓋カバー９と蓋本体８の位置規制をすることができる。
【００２８】
さらに、開閉蓋５は、蓋枠２０はポリプロピレンで成形され、裏枠２２はポリプロピレンの中でも高い耐薬品性を有するポリプロピレンで成形されている。窓板２３はガラスで成形されており、蓋カバー９は透明なＡＢＳで成形されている。
【００２９】
図６は、本発明の実施の形態１におけるドラム式洗濯機の蓋カバーの下部を示す斜視図である。蓋カバー９の下部に位置決め突起４１を設けている。位置決め突起４１は、突起部９ａのような形状であり、例えば幅１０ｍｍ程度である。また、蓋本体には位置決め突起４１が挿入できる長穴、例えば幅１０．５ｍｍを設けている。これにより、蓋カバーと蓋本体の回転方向の組み立ての目印を設けている。
【００３０】
これにより、蓋カバー９を蓋本体８に取り付ける際に、容易に識別できる。これによって、取り付け方向を間違えずに容易に取り付けることができ、作業性が向上できる。さらに、作業中に透明の蓋カバー９のとり回しによりキズをつけることがなく有利である。
【００３１】
さらに、使用者の価値観の多様化により、蓋全体の質感をさらに向上させた製品と、低価格の製品との両方が必要になる場合、透明の蓋カバーを通して見える蓋本体表面に、蓋枠を設けた製品と、設けない製品とを、蓋全体の美観を損なうことなく、容易に実現できる。
【００３２】
以上のように、本発明によれば、開閉蓋によって閉じた状態で洗浄水、すすぎ水、脱水の飛沫などを外部に漏れ出るのを阻止しながら、透明な蓋カバーおよび窓を通して洗濯物の状態を外部から観察しながら遂行させることができる。使用者が誤って蓋カバー９と蓋本体８の嵌合部液体洗剤或いは水を溢したとしても、蓋本体の正面側や窓板２３に流さないようにして使用者が認識しないようにすることで、ドラム式洗濯機の外観や美観を損なうことがない。
【産業上の利用可能性】
【００３３】
以上のように、本発明にかかる電解装置は、安価に構成できるので家庭用の洗濯機、食器洗い機などの洗浄機器に登載可能である。
【符号の説明】
【００３４】
１    洗濯機本体
２    回転ドラム
３    水槽
４    洗濯機筐体
５    開閉蓋
６    モータ
７    窓
８    蓋本体
８ａ  孔部
８ｂ  張りだし周壁
８ｃ  孔部の正面側
９    蓋カバー
９ａ  突出部
９ｂ  背面側の端
２０  蓋枠
２２  裏枠
２３  窓板
【図１】
2012217533.tif 000003
【図２】
2012217533.tif 000004
【図３】
2012217533.tif 000005
【図４】
2012217533.tif 000006
【図５】
2012217533.tif 000007
【図６】
2012217533.tif 000008
【図７】
2012217533.tif 000009
【図８】
2012217533.tif 000010